(57)【要約】【課題】少なくともイェロー、シアン、マゼンタ、ブラックの4色からなる水性インク組成物セットであり、特に紙から構成される記録媒体上の、異なる色の境界において、色滲み、カラーブリード、フェザリングを防止する事が可能な、少なくとも色材、水溶性有機溶媒、水を含んでなる水性インク組成物セットを提供する。【解決手段】少なくともイェロー、シアン、マゼンタ、ブラックの4色からなる水性インク組成物セットであって、明度の低い色のインク組成物ほど水溶性有機溶媒を多く、高い色ほど少なくし、且つ各インク組成物の水溶性有機溶媒量を25±5重量％の範囲とする事で、特に紙から構成される記録媒体の、異なる色の境界において、色滲み、カラーブリード、フェザリングを効果的に防止する事が可能となる。【選択図】なし【特許請求の範囲】
【請求項１】
少なくともイェロー、シアン、マゼンタおよびブラックインク組成物からなる水性インク組成物セットであって、
上記インク組成物が各々少なくとも色材、水溶性有機溶媒、界面活性剤、および水を含んでなり、
且つ、上記インク組成物セットは、明度の低い色のインク組成物ほど水溶性有機溶媒を多く、明度の高い色のインク組成物ほど水溶性有機溶媒を少なく含み、且つ各インク組成物の水溶性有機溶媒量が25±5重量％の範囲であることを特徴とする、水性インク組成物セット。
【請求項２】
前記色材が顔料である、請求項１に記載の水性インク組成物セット。
【請求項３】
前記顔料粒子の平均粒子径が50〜500nmの範囲である、請求項２に記載の水性インク組成物セット。
【請求項４】
前記水性インク組成物が表面張力25〜45mN/mの範囲にある、請求項１〜３のいずれかに記載の水性インク組成物セット。
【請求項５】
インク組成物の液滴を吐出し記録媒体に付着させて印字を行うインクジェット記録方法であって、請求項１〜４の何れかに記載の水性インク組成物セットを用いる、インクジェット記録方法。
【請求項６】
請求項１〜４の何れかに記載の水性インク組成物セットを用いて記録が行われた、記録物。
【発明の詳細な説明】
【技術分野】
【０００１】
本発明は水性インク組成物セットおよびこれを用いたインクジェット記録方法並びに記録物に関する。
【背景技術】
【０００２】
水性インク組成物は、水を主成分とし、これに着色成分である色材、グリセリン等の湿潤剤、発色性、乾燥性を向上させる為の浸透剤や界面活性剤、防菌・防黴剤等の添加剤を含有したものが一般的である。
【０００３】
また水性インク組成物に用いられる記録媒体は、一般にインク組成物をある程度吸収し着色剤を浸透させることができるもの、例えば紙、布等が用いられる。
特に紙を材料にした記録媒体が現在広く用いられている。
【０００４】
そして、水性インク組成物を用いて印刷を行う記録方法としては、近年、インクジェット記録方法が注目されている。インクジェット記録方法は、インク組成物の小滴を飛翔させ、記録媒体に付着させて印刷を行う記録方法である。
【０００５】
そのインクジェット記録方法の中でも、印刷時にのみインク組成物を吐出する方式、ドロップオンデマンド型のインクジェット記録方法は、装置的に軽量化、小型化が容易であり、フルカラー化やインク吐出技術の高機能化による大幅な画質向上とあいまって世の中で広く使用されるものとなっている。
【０００６】
そのドロップオンデマンド型インクジェット記録方法に使用される水性インク組成物は、これまで色材として染料を使用していたが、インクジェット記録物に対する耐水性、耐光性、長期保存寿命等の要求から、色材に顔料を用いた水性インク組成物が注目されている。
【０００７】
普通紙と呼ばれる記録媒体に、色材に顔料を用いた水性インク組成物を用いてインクジェット記録方法にて印刷を行う場合、速乾性や高発色性が要求される為に、これらインクジェット記録方法に用いられる水性インク組成物には、浸透剤や界面活性剤などが添加されるのが一般的である。
【０００８】
しかしながら、浸透剤の添加による浸透性の向上や界面活性剤の添加による濡れ性の向上といったインク特性の変化は、サイズ剤の違いや紙を構成するパルプの組成、製紙プロセス等の違いによって生じる紙の表面状態の差により、印刷された文字や画像に色滲みを誘発したり、紙を構成するパルプ繊維に沿ってインクが広がり、髭状の筋が発生する現象（フェザリング）が発生したり、２色以上のインクが重なり合った場合に、インクが互いに交じり合って境界がはっきりしなくなる現象（カラーブリーディング）を引き起こす事が一般的に知られている。
【０００９】
これら色滲み、フェザリングやカラーブリーディングを防止する為の手段としては、インク組成面からの様々なアプローチが提案されている。
例えば、特開平７−１４５３３６号公報（特許文献１）には、ポリマーを含有するアニオン性印刷液とカチオン性印刷液との反応によるブリード低減が提案されているが、ポリマーの添加は少量であってもインク粘度を大幅に増加させる為に、比較的低粘度域（2〜10(mPa・s)）のインク組成物を使用するインクジェット記録方法に応用するには困難であり、添加量が少ない場合にはブリード抑制効果が低いものとなり、目的が達せられない。
【００１０】
特開平７−１５００９０号公報（特許文献２）には、ヒドロキシカルボン酸塩、ヒドロキシジカルボン酸塩と特定のアニオン系界面活性剤塩の組み合わせが提案されているが、水性インク中での遊離カルボン酸の存在は吐出安定性を低下させ、インク滴の飛行曲りを招くという問題がある。
【００１１】
特開平８−３１９４４２号公報（特許文献３）には、コロイダルシリカや合成ゼオライト等の無機微粒子を添加し、インクのレオロジー特性を機能化、具体的にはチキソトロピックにする手法が提案されているが、これはインクの流動性が低下する為に飛行曲り、ノズル開口部での粒子固着による目詰まりが発生するという問題がある。なお、有機微粒子又は有機／無機ハイブリッド材料を使用した場合であっても、インク中の固形分濃度が高い場合には同様の問題を生じ易い。
【００１２】
また特開平１０−６４９３（特許文献４）、１１−３２３２２５（特許文献５）、１１−３４２６３５（特許文献６）、１１−３４３４４０（特許文献７）、１１−３４９８７８号（特許文献８）、２００１−１６４１５９（特許文献９）、２００１−１６４１６０（特許文献１０）、２００１−１６４１６１公報（特許文献１１）らには、アニオン−カチオンの静電気的相互作用を利用した手法が提案されているが、これら手法では印字ヘッドのクリーニングを行った場合、ノズルプレートをクリーニングブレードで擦る段階で、ノズルプレート上でアニオン−カチオンの静電気的相互作用に伴う凝集反応が発生する為に、ノズルが目詰まりを起こすという問題があった。そこで、この問題を回避する為には、ヘッドをアニオン性インク用印字ヘッドとカチオン性インク用印字ヘッドとに分割し、クリーニング機構もそれぞれ別々にする必要があり、装置的な負担、コストアップを招くものであった。
【００１３】
その他にも、色滲み、フェザリングやカラーブリーディングを防止する為の手段として、インク組成物と反応剤とを組み合わせて使用する手法が提案されている。
【００１４】
前記のようにインク組成物に添加剤を加える手法の他にも、インク組成物と反応剤とを組み合わせて使用する手法によって、色滲み、フェザリングやカラーブリーディングを防止することも提案されている。
【００１５】
例えば、特開平９−２３９９６４（特許文献１２）には、多価金属の配位化合物を含有する反応剤を使用する手法が提案されている。これは多価金属イオン（カチオン）とアニオン性官能基を有する染料が凝集反応する事を利用したものであり、本来不安定で析出し易い多価金属イオンを配位化合物で錯体化する事により、安定に溶解させているものである。もしもこれら配位状態が何らかの理由で破壊された場合には、反応剤中に金属化合物が析出し、異物となって配管やノズルを閉塞してしまう事が容易に予測できる。
【００１６】
そして、前記反応剤を使用する手法でも印字ヘッドを反応液用とインク組成物用ヘッドに分割し、クリーニング機構も別々にする必要があるので、装置的な負担、コストアップを招くものであった。加えて印刷を行う場合には、インクに加えて反応剤も印刷に使用される為に、記録媒体に与えられる水分量が増大し、乾燥時間の増大や記録媒体の変形、即ち皺やカールの発生等の問題も発生する事が知られている。
【００１７】
なお、一般的に、どの様な反応性の高い反応を利用しても、記録媒体に与えられる水分量が過剰であれば、色滲み、フェザリングやカラーブリーディングを防止する事は困難である事が知られている。
【先行技術文献】
【特許文献】
【００１８】
【特許文献１】特開平７−１４５３３６号公報
【特許文献２】特開平７−１５００９０号公報
【特許文献３】特開平８−３１９４４２号公報
【特許文献４】特開平１０−６４９３号公報
【特許文献５】特開平１１−３２３２２５号公報
【特許文献６】特開平１１−３４２６３５号公報
【特許文献７】特開平１１−３４３４４０号公報
【特許文献８】特開平１１−３４９８７８号公報
【特許文献９】特開２００１−１６４１５９号公報
【特許文献１０】特開２００１−１６４１６０号公報
【特許文献１１】特開２００１−１６４１６１号公報
【特許文献１２】特開平９−２３９９６４号公報
【発明の概要】
【発明が解決しようとする課題】
【００１９】
水性インク組成物セットを使用するフルカラーインクジェット記録方法において、前記の様な色滲み、フェザリングやカラーブリーディングは、特に、イェローのような明度の高い色を背景にして、ブラックのような明度の低い色の文字を印刷する場合に、その色境界で顕著である。
【００２０】
印刷装置や印刷プロセスを複雑にする事無く、このような画像欠陥、即ち色滲み、フェザリングやカラーブリーディングが目立つ条件で、色滲み、フェザリングやカラーブリーディングを有効に防止する手段は、従来知られていない。
【課題を解決するための手段】
【００２１】
本発明者らは、今般、イェロー、シアン、マゼンタ、ブラックの少なくとも4色からなる水性インク組成物のインクセットにおいて、明度の低い色のインク組成物ほど水溶性有機溶媒を多く、高い色ほど少なくし、且つ各インク組成物の水溶性有機溶媒量を25±5重量％の範囲である場合に、普通紙と呼ばれる記録媒体上で、色滲み、フェザリングやカラーブリーディング、特にブラックが他の色に侵入するタイプの色滲み、カラーブリード、フェザリングの発生を効果的に防止する事が可能であり、且つこれら画像欠陥の無い高品質な画像を印刷できる事を見出した。本発明はかかる知見に基づくものである。
【００２２】
従って、本発明はインクジェット記録方法によって、普通紙と呼ばれる記録媒体上で、色滲み、フェザリングやカラーブリーディング、特にブラックが他の色に侵入するタイプの色滲み、カラーブリード、フェザリングを防止する事を効果的に防止する事が可能となり、高品質な画像を印刷可能なインク組成物セットの提供をその目的としている。
【００２３】
そして、本発明によるインク組成物セットは、少なくともイェロー、シアン、マゼンタおよびブラックインク組成物からなる水性インク組成物セットであって、
上記インク組成物が各々少なくとも色材、水溶性有機溶媒、界面活性剤、および水を含んでなり、
且つ、上記インク組成物セットは、明度の低い色のインク組成物ほど水溶性有機溶媒を多く、明度の高い色のインク組成物ほど水溶性有機溶媒を少なく含み、且つ各インク組成物の水溶性有機溶媒量が25±5重量％の範囲であることを特徴とする、水性インク組成物セットである。
【発明を実施するための形態】
【００２４】
本発明によるインク組成物セットにあっては、イェロー、シアン、マゼンタ、ブラックの少なくとも4色からなる水性インク組成物のインクセットにおいて、明度の低い色のインク組成物ほど水溶性有機溶媒を多く、高い色ほど少なくし、且つ各インク組成物の水溶性有機溶媒量を25±5重量％の範囲である条件を満たす水性インク組成物を用いて印刷を行う事によって、紙からなる記録媒体に、色滲み、フェザリングやカラーブリーディング、特にブラックが他の色に侵入するタイプの色滲み、カラーブリード、フェザリングの無い画像を印刷する事が可能である。
【００２５】
このような効果が生ずる理由は明確ではないが、以下の記載のように推論する事が可能である。
まず、記録媒体上に印刷を行った場合、ブラックインクとカラーインクの接触する領域においては、一番明度の低いブラックインクの水溶性有機溶媒量が最も多い為、紙の内部への浸透性が最も高くなり、紙の繊維上に濡れ広がるよりも、紙内部へ浸透する傾向が高くなる。その為、ブラックインクは他の色に浸透し難いものとなる。
また、その他のインク組成物に関しても、明度の低い色ほど水溶性有機溶媒量が多く、紙内部へ浸透する傾向が高くなるように設計してある事で、明度の低い色が明度の高い色の側に滲み出し、結果として色滲み、フェザリングやカラーブリーディングの発生に伴う画像品質低下が抑制されると考えられる。
【００２６】
なお、上記の機構はあくまで仮定であって、本発明はこの機構に限定して解釈されるものではない。
【００２７】
しかしながら、インクの乾燥性の面から、インクに含有される水及び水溶性有機溶媒は少ない方が好ましいが、印字安定性やノズルの目詰まり防止の面からは一定量の水溶性有機溶媒が必要である。
【００２８】
そこで本研究者らは鋭意検討を行ったところ、上記の条件、即ち、明度の低い色のインク組成物ほど水溶性有機溶媒を多く、高い色ほど少なくする事に加えて、各インク組成物の水溶性有機溶媒量を25±5重量％の範囲とする事で、効果的に色滲み、フェザリングやカラーブリーディングの発生を抑制する事が可能であった。
なお、この効果が生ずる理由も明確ではないが、以下の記載のように推論する事が可能である。
【００２９】
これは、各インク組成物に含有される水溶性有機溶媒量が25±5重量％という範囲にあることで印字した際、各インク組成物の乾燥速度が同程度になる事が理由として考えられる。各インクの乾燥速度に大きな差が生じた場合には、上記の浸透傾向の差により、初期的には色滲み、フェザリングやカラーブリーディングの発生は抑えられるが、乾燥が十分に進行していない色領域では顔料粒子の拡散及びインク自体の移動が可能である為、隣接する色領域へと顔料粒子の拡散及びインク自体の移動が進行し、時間の経過と共に、色滲み、フェザリングやカラーブリーディングが発生してしまうと考えられる。
【００３０】
なお、この点に関しても、上記の機構はあくまで仮定であって、本発明はこの機構に限定して解釈されるものではない。
【００３１】
ここで、水溶性有機溶媒というのは、インク中に含有される化合物の中でも、水を除いた常温で液体の物質全てを指し、界面活性剤はこれに含まれない。
従来の技術では、顔料粒子の分散破壊による凝集反応を利用する例が多かった。この場合、印刷前にはブラックインクとカラーインクが接触し凝集反応を開始し、印字ヘッドの目詰まりの原因とならない様に、印字ヘッドをそれぞれ別々に独立して配置する必要が有ったが、本発明の技術によればその必要はなくなる。
【００３２】
何故ならば、従来の技術では水中で負帯電（アニオン性）または正帯電（カチオン性）の電荷を有する顔料粒子とこれと逆極性の電荷を有する化合物とが反応し、顔料粒子の電荷が静電気的に中性になる反応を利用する事で、溶媒中において静電気的な反発力により分散安定性を保ってきた顔料粒子を凝集させるメカニズムを利用している。
【００３３】
これに対し、本発明の技術では、各インクの浸透性制御と乾燥速度調整により、色滲み、フェザリングやカラーブリーディング抑制効果を得ており、装置面での負担も無く、印刷や保存安定性の面でも、特に問題なく使用する事が可能であった。
【００３４】
＜水性インク組成物＞
本発明によるインク組成物セットは、記録媒体上に高品質なフルカラー印刷物を形成する為に、基本的には少なくとも、イェロー、シアン、マゼンタ、ブラックの4色のインク組成物から構成され、着色成分として添加される色材に顔料を用い、水溶性有機溶媒、界面活性剤、水を含んでなる。
【００３５】
また本発明による水性インク組成物セットは、インクジェット記録方法に用いられる水性インク組成物に要求される多くの特性を満たすものである。
水性インク組成物の各インク組成物は、それぞれの表面張力が25〜45(mN/m)の範囲にある事が好ましい、更には27〜40(mN/m)の範囲にある事が好ましい。表面張力が25(mN/m)以下であると印字安定性に劣る場合があり、45(mN/m)以上ではインクの吸収が遅くなりに印刷プロセスに不都合を生ずる場合の有る事が知られている。
【００３６】
本発明によるインク組成物に用いることが可能な顔料として、特に制限は無く、無機顔料及び有機顔料を用いる事が可能である。
【００３７】
無機顔料としては、酸化チタンおよび酸化鉄に加え、公知の方法によって製造されたカーボンブラック、即ち、チャンネルブラック、ファーネスブラック、アセチレンブラック、ランプブラック等を使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。
【００３８】
特にブラックインク組成物に使用されるカーボンブラックとしては、三菱化学社製  No.2300、No.900、MCF 88、No.33、No.40、No.45、No.52、MA7、MA8、MA100、No.2200B、
コロンビア社製のRaven 5750、Raven 5250、Raven 5000、Raven 3500、Raven 1255、Raven 700、
キャボット社製のRegal 400R、Regal 330R、Regal 660R、Mogul  L、Monarch 700、Monarch 800、Monarch 880、Monarch 900、Monarch 1000、Monarch 1100、Monarch 1300、Monarch 1400、
デグサ社製のColor Black FW1、Color Black FW2、Color Black FW2V、Color Black FW18、Color Black FW200、Color Black S150、Color  Black S160、Color Black S170、Printex 35、Printex  U、Printex V、Printex 140U、Special Black 6、Special Black 5、Special Black 4A、Special Black 4等が使用できる。
【００３９】
イェローインクに使用される顔料としては、Ｃ．Ｉ．Pigment Yellow 1、Ｃ．Ｉ．Pigment Yellow 2、Ｃ．Ｉ．Pigment Yellow 3、Ｃ．Ｉ．Pigment Yellow 12、Ｃ．Ｉ．Pigment Yellow 13、Ｃ．Ｉ．Pigment Yellow 14C、Ｃ．Ｉ．Pigment Yellow 16、Ｃ．Ｉ．Pigment Yellow 17、 Ｃ．Ｉ．Pigment Yellow 42、Ｃ．Ｉ．Pigment Yellow 73、Ｃ．Ｉ．Pigment Yellow 74、Ｃ．Ｉ．Pigment Yellow 75、Ｃ．Ｉ．Pigment Yellow 83、Ｃ．Ｉ．Pigment Yellow 93、Ｃ．Ｉ．Pigment Yellow 95、Ｃ．Ｉ．Pigment Yellow 97、Ｃ．Ｉ．Pigment Yellow 98、Ｃ．Ｉ．Pigment Yellow 114、Ｃ．Ｉ．Pigment Yellow 128、Ｃ．Ｉ．Pigment Yellow 129、Ｃ．Ｉ．Pigment Yellow 151、Ｃ．Ｉ．Pigment Yellow 154等が挙げられる。
【００４０】
マゼンタインクに使用される顔料としては、Ｃ．Ｉ．Pigment Red 5、Ｃ．Ｉ．Pigment  Red 7、Ｃ．Ｉ．Pigment Red 12、Ｃ．Ｉ．Pigment Red 48（Ca）、Ｃ．Ｉ． Pigment Red 4（Mn）、Ｃ．Ｉ．Pigment Red 57（Ca）、Ｃ．Ｉ．Pigment Red 57：1、Ｃ．Ｉ． Pigment Red 74、Ｃ．Ｉ．Pigment Red 112、Ｃ．Ｉ．Pigment Red 123、Ｃ．Ｉ．Pigment Red 168、Ｃ．Ｉ．Pigment Red 184、Ｃ．Ｉ．Pigment Red 202等が挙げられる。
【００４１】
シアンインクに使用される顔料としては、Ｃ．Ｉ．Pigment Blue 1、Ｃ．Ｉ． Pigment Blue 2、Ｃ．Ｉ．Pigment Blue 3、Ｃ．Ｉ．Pigment Blue 15：3、Ｃ．Ｉ．Pigment Blue15：34、Ｃ．Ｉ．Pigment  Blue  16、Ｃ．Ｉ．Pigment Blue 22、Ｃ．Ｉ．Pigment Blue 60、Ｃ．Ｉ．Vat Blue 4、Ｃ．Ｉ． Vat Blue 60等が挙げられる。
またこれら顔料の平均粒径は、50(nm)以上、500(nm)以下が好ましく、さらに好ましくは80(nm)以上、200(nm)以下である。平均粒径が500(nm)以上では印字ヘッドのノズルの目詰まりを引き起こす場合が有り、50(nm)以下の平均粒径を達成する為には多大な時間とコストが必要となる。
【００４２】
また、ここで述べる平均粒径とはレーザードップラー方式の粒度分布計Microtrac UPA（リーズ＆ノースロップ社製）を用いて平均粒径を測定した場合の50%平均粒径の数値である。
【００４３】
顔料は分散剤で水性媒体中に分散させた顔料分散液としてインクに添加するのが好ましい。顔料分散液を調製するのに用いられる分散剤としては、一般に顔料分散液を調製するのに用いられている分散剤、例えば高分子分散剤、界面活性剤を使用することができる。なお、この顔料分散液に含まれる界面活性剤がインク組成物の界面活性剤としても機能するであろうことは当業者に明らかであろう。
【００４４】
高分子分散剤の好ましい例としては天然高分子及びその誘導体が挙げられ、その具体例としては、にかわ、ゼラチン、カゼイン、アルブミンなどのタンパク質類。
【００４５】
アラビアゴム、トラガントゴムなどの天然ゴム類。
【００４６】
サポニンなどのグルコシド類。
【００４７】
アルギン酸およびアルギン酸プロピレングリコールエステルなどのアルギン酸誘導体、アルギン酸トリエタノールアミン、アルギン酸アンモニウム等のアルギン酸塩。
【００４８】
ヒドロキシアルキルデンプン、酢酸デンプン、リン酸デンプン、架橋デンプン、デキストリン、デキストランなどのデンプン誘導体。
【００４９】
メチルセルロース（MC）、カルボキシメチルセルロース（CMC）及びそのナトリウム塩（CMC-Na）、ヒドロキシエチルセルロース（HEC）、メチルヒドロキシエチルセルロース（MHEC）、ヒドロキシプロピルセルロース（HPC）などの水溶性セルロース誘導体などが挙げられる。
【００５０】
さらに、高分子分散剤の好ましい例として合成高分子が挙げられ、ポリビニルアルコール、ポリビニルピロリドン、ポリビニルエーテル類、ポリエチレンオキシド、ポリエチレングリコール、ポリプロピレングリコール、ポリアクリルアミド、ポリエチレンイミン、ポリビニルピリジン、ポリアミド、ポリアリールアミン、ポリビニルブチラール、ポリアクリル酸、アクリル酸−アクリロニトリル共重合体、アクリル酸カリウム−アクリロニトリル共重合体、酢酸ビニル−アクリル酸エステル共重合体、アクリル酸−アクリル酸エステル共重合体などのアクリル系樹脂。
【００５１】
スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体などのスチレン−アクリル系樹脂。
【００５２】
スチレン−マレイン酸共重合体、スチレン−無水マレイン酸共重合体。
ビニルナフタレン−アクリル酸共重合体、ビニルナフタレン−マレイン酸共重合体、
および酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体およびそれらの塩が挙げられる。
【００５３】
これらの中で、特に疎水性基を持つモノマーと親水性基を持つモノマーとの共重合体、および疎水性基と親水性基を分子構造中に併せ持ったモノマーからなる重合体が分散安定化の目的には好ましい。
【００５４】
また水性インク組成物における色材の含有量は、特に制限はないが、0.5〜25重量％程度が好ましく、より好ましくは2〜15重量％程度である。色材含有量が0.5重量％以下では印刷物の光学濃度が低すぎ、25重量％以上では保存安定性、印字安定性に問題が生ずる場合がある。
【００５５】
＜水、水溶性有機溶媒＞
本発明による方法に用いられるインク組成物の溶媒は水および水溶性有機溶媒を主成分として用いる。
【００５６】
本発明の好ましい態様によれば、本発明に使用するインク組成物は、高沸点有機溶煤からなる浸透剤、湿潤剤を含んでなることが好ましい。高沸点有機溶媒剤の好ましい例としては、エチレングリコール、ジエチレングリコール、トリエチレングリコール、ポリエチレングリコール、プロピレングリコール、ジプロピレングリコール、ポリプロピレングリコール、ブチレングリコール、1，2，6−ヘキサントリオール、チオグリコール、ヘキシレングリコール、グリセリン、トリメチロールエタン、トリメチロールプロパン、１，３−ブタンジオール、１，４−ブタンジオール、１，５−ペンタンジオール、１，２−ヘキサンジオール、１，６−ヘキサンジオールなどの多価アルコール類。
【００５７】
エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、トリエチエレングリコールモノメチルエーテル、トリエチレングリコールモノエチルエーテル、トリエチレングリコールモノブチルエーテル、プロピレングリコールモノメチルエーテル、プロピレングリコールモノエチルエーテル、ジプロピレングリコールモノメチルエーテル、ジプロピレングリコールモノエチルエーテルなどの多価アルコールのアルキルエーテル類。この他にも2−ピロリドン、N−メチル−2−ピロリドン、トリエタノールアミン、ジメチルスルホキシド、N,N,N`,N``,N``-Pentakis(2-hydroxypropyl)dimethylenetriamine：ペントロール、１−(２−ヒドロキシエチル)−２−イミダゾリジノン等が挙げられる。
【００５８】
これらの水溶性有機溶媒は単独または2種以上混合して使用することができる。
【００５９】
水溶性有機溶媒の添加により、水性インク組成物は記録媒体に速やかに吸収されるようになる。
【００６０】
その中でも沸点が180℃以上の水溶性有機溶媒の利用が好ましい。沸点が180℃以上の水溶性有機溶媒の使用はインク組成物の保水と湿潤性をもたらす。この結果、インク組成物を長期間保管しても色材の凝集や粘度の上昇がなく、優れた保存安定性を実現できる。さらに、開放状態（室温で空気に触れている状態）で放置しても流動性と再分散性を長時間維持するインク組成物が実現できる。
【００６１】
さらに、インクジェット記録方法においては、印字中もしくは印字中断後の再起動時にノズルの目詰まりが生じることもなく、高い吐出安定性が得られる。
【００６２】
沸点が180℃以上の水溶性有機溶媒の例としては、エチレングリコール（沸点：197℃ ；以下括弧内は沸点を示す）、プロピレングリコール（187℃）、ジエチレングリコール（245℃）、N−メチル−2−ピロリドン（202℃）、2−ピロリドン（245℃）、グリセリン（290℃）、ジプロピレングリコールモノエチルエーテル（198℃）、ジプロピレングリコールモノメチルエーテル（190℃）、ジプロピレングリコール（232℃）、ジエチレングリコールモノブチルエーテル（230℃）、ジエチレングリコールモノエチルエーテル（202℃）、ジエチレングリコールモノメチルエーテル（194℃）が挙げられる。
【００６３】
これら水溶性有機溶媒は単独または2種以上混合して使用することができる。
【００６４】
中でも水性インク組成物に湿潤性、保水性を付与する水溶性有機溶媒としては、グリセリン、エチレングリコール、プロピレングリコール、ジエチレングリコール、トリエチレングリコール等が好ましく、浸透性を付与するものとしてはトリエチレングリコールモノブチルエーテル、１，２−ヘキサンジオール、２−ピロリドン等が好ましい。
【００６５】
また、これら水溶性有機溶媒を合計した総含有量は、インク組成物に対して25±5重量％である。水溶性有機溶媒量をこの範囲とする事により色滲み、フェザリングやカラーブリーディングを有効に防止できる。
【００６６】
＜界面活性剤＞
本発明による方法に用いられるインク組成物は、さらに界面活性剤を含有しても良い。
【００６７】
アニオン性界面活性剤としての好ましい例としては、例えば脂肪酸塩、ポリオキシエチレン付加アルキルエーテル硫酸塩、α−オレフィンスルホン酸塩、アルキルベンゼルスルホン酸塩、アルキルナフタレンスルホン酸塩、アルキル硫酸塩、ジアルキルスルホコハク酸塩、モノアルキルリン酸塩、アルケニルコハク酸塩などが挙げられる。
【００６８】
中でもインク組成物に添加されるアニオン系界面活性剤は、スルホン基を有するものが好ましい。その例としては、アルキルベンゼンスルホン酸塩、アルキルナフタレンスルホン酸塩、ジアルキルスルホコハク酸塩等が挙げられる。
【００６９】
両性界面活性剤、例えば、アルキルカルボキシベタイン、アルキルスルホベタイン、1−(3−スルホプロピル)ピリジニウムベタイン、アミドアミノ酸塩、レシチンなどが挙げられる。
【００７０】
非イオン性（ノニオン系）界面活性剤、例えば、ポリオキシエチレンアルキルエーテル、ポリオキシエチレンアルキルエステル、ポリオキシエチレンソルビタン脂肪酸エステル、ポリオキシエチレンアルキルフェニルエーテル、高級アルコールポリオキシエチレン付加物、ポリオキシエチレンジアルキルエーテル、ポリオキシエチレンアルキルアミン、セルロース誘導体（ヒドロキシエチルセルロース、メチルセルロース、ヒドロキシプロピルセルロース、メチルヒドロキシエチルセルロース）、ソルビタンアルキルエステル、アセチレングリコール（オルフィン（登録商標）Yならびにサーフィノール（登録商標）82、104、440、465、および485（いずれもAir Products and Chemicals  Inc.製））を用いることも可能である。これらを単独または二種以上を混合して用い、記録媒体への浸透性調整や表面張力の調整を図ることができる。
【００７１】
また、これら界面活性剤の含有量は、特に制限はないが、インク組成物に対して好ましくは0.01〜10重量％程度であり、より好ましくは0.05〜5重量％である。含有量が0.01重量％以下では十分な界面活性効果が得られず、10重量％以上では顔料の分散安定性に悪影響を及ぼす場合がある。
【００７２】
＜糖類＞
また、本発明の水性インク組成物セットでは、糖類を含んでも良い。ここでの「糖類」とは、「糖及びその誘導体」である。該糖の例としては、単糖類、二糖類、オリゴ糖（三糖類及び四糖類を含む）及び多糖類が挙げられ、好ましくはグルコース、マンノース、フルクトース、リボース、キシロース、アラビノース、ガラクトース、アルドン酸、グルシトース、マルトース、セロビオース、ラクトース、スクロース、トレハロース、マルトトリオース等が挙げられる。ここで多糖類とは広義の糖を意味し、アルギン酸、α−シクロデキストリン、セルロース等、自然界に広く存在する物質を含む意味に用いる事とする。
前記糖の誘導体としては、前記糖の還元糖（例えば、糖アルコール  一般式HOCH2(CHOH)nCH2OH   (n=2〜5)）、酸化糖（例えば、アルドン酸、ウロン酸等）、アミノ酸、チオ酸等が挙げられる。特に乾燥した場合に固形化し、透明な膜を形成する糖アルコールが好ましく、具体例としてはマルチトール、ソルビット及びそれらの混合物等が挙げられる。
【００７３】
前記糖類は、本発明の水性インク組成物中、好ましくは0.5〜30重量％、さらに好ましくは2〜15重量％含有される。含有量が0.5重量％未満では効果に乏しく、30重量％を超えると印字安定性や保存安定性の低下を招く恐れがある。
【００７４】
＜その他添加剤＞
また、本発明の水性インク組成物には、保存安定性や印字安定性の向上、目詰まり防止等を目的に各種添加剤が添加されても良い。具体的には、pH調整剤、防腐剤、防かび剤等である。
【実施例】
【００７５】
以下に、本発明の実施態様を示すが、これらの実施例は本発明の内容を説明するものであって、本発明の範囲を限定するものではない。
【００７６】
（実施例１）
インク組成物の調製下記の組成からなるインク組成物を調製した。調製は下記の要領で行った。顔料と分散剤と水とを混合して、サンドミル（安川製作所製）中で、ガラスビーズ（直径1．7mm、混合物の1.5倍量（重量））とともに2時間分散させた。その後、ガラスビーズを取り除き、顔料分散液を得た。
【００７７】
次いで、下記配合成分における顔料及び分散剤以外の溶媒及び添加剤を混合且つ溶解してインク溶媒として、上記の顔料分散液を攪拌しながらインク溶媒を徐々に滴下して、常温で20分攪拌した。その後、5μmのメンブランフィルターで濾過して、インクジェット記録用インク組成物とした。
【００７８】
ブラック顔料インク組成物
カーボンブラック MA-7 （色材、三菱化学社製）      4.0重量（以下wtと略す）%
スチレン−アクリル酸共重合体 ・アンモニウム塩
（分散剤、分子量10,000）                            3.0wt%
グリセリン                                          20wt%
サーフィノール４６５
（ノニオン系界面活性剤、Air Product and Chemicals, Inc製）  1.0wt%
HS-500
（糖アルコール、林原生物化学研究所製）                2.0wt%
2−ピロリドン                                          2.0wt%
トリエタノールアミン                                  1.0wt%
1,2−ヘキサンジオール                                  5.0wt%
イオン交換水                                            残量
【００７９】
カラーインクセット
シアン顔料インク
Ｃ．Ｉ．ピグメントブルー １５：３ （色材）              3.0wt%
スチレン−アクリル酸共重合体 ・アンモニウム塩
（分散剤、分子量10,000）                                2.0wt%
グリセリン                                              19wt%
サーフィノール４６５
（ノニオン系界面活性剤、Air Product and Chemicals, Inc製）  1.0wt%
トリエタノールアミン                                    1.0wt%
1,2−ヘキサンジオール                                  5.0wt%
イオン交換水                                            残量
【００８０】
マゼンタ顔料インク
Ｃ．Ｉ．ピグメントレッド １２２ （色材）                3.0wt%
スチレン−アクリル酸共重合体 ・アンモニウム塩
（分散剤、分子量10,000）                                2.0wt%
グリセリン                                              17wt%
サーフィノール４６５
（ノニオン系界面活性剤、Air Product and Chemicals, Inc製）  1.0wt%
トリエタノールアミン                                    1.0wt%
1,2−ヘキサンジオール                                    5.0wt%
イオン交換水                                            残量
【００８１】
イェロー顔料インク
Ｃ．Ｉ．ピグメントイエロー ７４ （色材）                3.5wt%
スチレン−アクリル酸共重合体 ・アンモニウム塩
（分散剤、分子量10,000）                                2.5wt%
グリセリン                                              14wt%
サーフィノール４６５
（ノニオン系界面活性剤、Air Product and Chemicals, Inc製）  1.0wt%
トリエタノールアミン                                    1.0wt%
1,2−ヘキサンジオール                                    5.0wt%
イオン交換水                                            残量
【００８２】
実施例１における水溶性有機溶媒を表１に示す。
【００８３】
【表１】
2010285623.tif 000002
【００８４】
表中、Glycerolはグリセリン、2-Pyは2−ピロリドン、TEAはトリエタノールアミン、1,2-HDは1,2−ヘキサンジオールを示す（以下同じ）。
【００８５】
上記組成にて作成した水性インク組成物を、セイコーエプソン株式会社製インクジェットプリンタ ＥＭ−９３０Ｃ を使用して、それぞれ100%濃度で普通紙1に印字し、印字部の明度を分光測色計SPM50（GretagMacbeth社製）にて測定した。
結果を表２に示す。
【００８６】
【表２】
2010285623.tif 000003
【００８７】
（実施例２）
ブラック顔料インク組成物
カーボンブラック MA-7 （色材、三菱化学社製）            4.0wt%
スチレン−アクリル酸共重合体 ・アンモニウム塩
（分散剤、分子量10,000）                                3.0wt%
グリセリン                                              16wt%
サーフィノール４６５
（ノニオン系界面活性剤、Air Product and Chemicals, Inc製）  1.0wt%
2−ピロリドン                                            2.0wt%
トリエタノールアミン                                    1.0wt%
トリエチレングリコールモノブチルエーテル                10wt%
イオン交換水                                            残量
【００８８】
ブラックインク組成を上記組成に変更し、他のインクは実施例１と同様とし、実施例１と同様の方法で普通紙１〜３に印刷を行い、同様な評価を実施した。
【００８９】
実施例２における水溶性有機溶媒を表３に示す。
【００９０】
【表３】
2010285623.tif 000004
【００９１】
表中、TEG-mBEはトリエチレングリコールモノブチルエーテルを示す（以下同じ）。
【００９２】
（実施例３）
ブラック顔料インク組成物
カーボンブラック MA-7 （色材、三菱化学社製）          4.0重量（以下wtと略す）%
スチレン−アクリル酸共重合体 ・アンモニウム塩
（分散剤、分子量10,000）                              3.0wt%
グリセリン                                              20wt%
サーフィノール４６５
（ノニオン系界面活性剤、Air Product and Chemicals, Inc製）  0.5wt%
2−ピロリドン                                          2.0wt%
トリエタノールアミン                                    1.0wt%
1,2−ヘキサンジオール                                  5.0wt%
イオン交換水                                            残量
【００９３】
カラーインクセット
シアン顔料インク
Ｃ．Ｉ．ピグメントブルー １５：３ （色材）              3.0wt%
スチレン−アクリル酸共重合体 ・アンモニウム塩
（分散剤、分子量10,000）                                2.0wt%
グリセリン                                              18wt%
サーフィノール４６５
（ノニオン系界面活性剤、Air Product and Chemicals, Inc製）  1.0wt%
トリエタノールアミン                                      1.0wt%
1,2−ヘキサンジオール                                    5.0wt%
イオン交換水                                              残量
【００９４】
マゼンタ顔料インク
Ｃ．Ｉ．ピグメントレッド １２２ （色材）                3.0wt%
スチレン−アクリル酸共重合体 ・アンモニウム塩
（分散剤、分子量10,000）                                2.0wt%
グリセリン                                                5.0wt%
サーフィノール４６５
（ノニオン系界面活性剤、Air Product and Chemicals, Inc製）  1.0wt%
トリエタノールアミン                                      1.0wt%
1,2−ヘキサンジオール                                    5.0wt%
イオン交換水                                              残量
【００９５】
イェロー顔料インク
Ｃ．Ｉ．ピグメントイエロー ７４ （色材）                  3.5wt%
スチレン−アクリル酸共重合体 ・アンモニウム塩
（分散剤、分子量10,000）                                2.0wt%
グリセリン                                                8.0wt%
サーフィノール４６５
（ノニオン系界面活性剤、Air Product and Chemicals, Inc製）  1.0wt%
トリエタノールアミン                                    1.0wt%
1,2−ヘキサンジオール                                  5.0wt%
イオン交換水                                              残量
【００９６】
実施例１と同様な方法で普通紙１〜３に印刷を行い、同様な評価を実施した。
【００９７】
実施例３における水溶性有機溶媒を表４に示す。
【００９８】
【表４】
2010285623.tif 000005
【００９９】
（比較例１）
ブラック顔料インク組成物
カーボンブラック MA-7 （色材、三菱化学社製）          4.0wt%
スチレン−アクリル酸共重合体 ・アンモニウム塩
（分散剤、分子量10,000）                              3.0wt%
グリセリン                                              20wt%
サーフィノール４６５
（ノニオン系界面活性剤、Air Product and Chemicals, Inc製）  1.0wt%
HS-500（糖アルコール、林原生物化学研究所製）                2.0wt%
2−ピロリドン                                          2.0wt%
トリエタノールアミン                                    1.0wt%
1,2−ヘキサンジオール                                  5.0wt%
イオン交換水                                            残量
【０１００】
カラーインクセット
シアン顔料インク
Ｃ．Ｉ．ピグメントブルー １５：３ （色材）              3.0wt%
スチレン−アクリル酸共重合体 ・アンモニウム塩
（分散剤、分子量10,000）                                2.0wt%
グリセリン                                                13wt%
サーフィノール４６５
（ノニオン系界面活性剤、Air Product and Chemicals, Inc製）  1.0wt%
2−ピロリドン                                            2.0wt%
トリエタノールアミン                                      1.0wt%
トリエチレングリコールモノブチルエーテル                10wt%
エチレングリコール                                        4.0wt%
イオン交換水                                              残量
【０１０１】
マゼンタ顔料インク
Ｃ．Ｉ．ピグメントレッド １２２ （色材）                  3.0wt%
スチレン−アクリル酸共重合体 ・アンモニウム塩
（分散剤、分子量10,000）                                  2.0wt%
グリセリン                                                  13wt%
サーフィノール４６５
（ノニオン系界面活性剤、Air Product and Chemicals, Inc製）  1.0wt%
2−ピロリドン                                                2.0wt%
トリエタノールアミン                                          1.0wt%
トリエチレングリコールモノブチルエーテル                    5.0wt%
エチレングリコール                                          7.0wt%
イオン交換水                                                残量
【０１０２】
イェロー顔料インク
Ｃ．Ｉ．ピグメントイエロー ７４ （色材）                  3.5wt%
スチレン−アクリル酸共重合体 ・アンモニウム塩
（分散剤、分子量10,000）                                  2.5wt%
グリセリン                                                14wt%
サーフィノール４６５
（ノニオン系界面活性剤、Air Product and Chemicals, Inc製）  1.0wt%
トリエタノールアミン                                          1.0wt%
1,2−ヘキサンジオール                                        3.0wt%
トリエチレングリコールモノブチルエーテル                    5.0wt%エチレングリコール                                            7.0wt%
イオン交換水                                                  残量
【０１０３】
インク組成を上記組成に変更し、実施例１と同様な方法で普通紙１〜３に印刷を行い、同様に評価を実施した。
【０１０４】
比較例１における水溶性有機溶媒を表５に示す。
【０１０５】
【表５】
2010285623.tif 000006
【０１０６】
表中、EGはエチレングリコールを示す（以下同じ）。
【０１０７】
（比較例２）
ブラック顔料インク組成物
カーボンブラック MA-7 （色材、三菱化学社製）                  4.0wt%
スチレン−アクリル酸共重合体 ・アンモニウム塩
（分散剤、分子量10,000）                                      3.0wt%
グリセリン                                                      16wt%
サーフィノール４６５
（ノニオン系界面活性剤、Air Product and Chemicals, Inc製）  1.0wt%
2−ピロリドン                                                  2.0wt%
トリエタノールアミン                                          1.0wt%
トリエチレングリコールモノブチルエーテル                      10wt%
イオン交換水                                                    残量
【０１０８】
比較例１のブラックインク組成のみを上記組成に変更した以外は比較例１に記載のインクを調製し、実施例1と同様な方法で普通紙１〜３に印刷を行い、同様に評価を実施した。
【０１０９】
比較例２における水溶性有機溶媒を表６に示す。
【０１１０】
【表６】
2010285623.tif 000007
【０１１１】
（比較例３）
ブラック顔料インク組成物
カーボンブラック MA-7 （色材、三菱化学社製）                  4.0wt%
スチレン−アクリル酸共重合体 ・アンモニウム塩
（分散剤、分子量10,000）                                      3.0wt%
グリセリン                                                      20wt%
サーフィノール４６５
（ノニオン系界面活性剤、Air Product and Chemicals, Inc製）  1.0wt%
2−ピロリドン                                                  2.0wt%
トリエタノールアミン                                          1.0wt%
トリエチレングリコールモノブチルエーテル                      10wt%
イオン交換水                                                    残量
【０１１２】
カラーインクセット
シアン顔料インク
Ｃ．Ｉ．ピグメントブルー １５：３ （色材）                    3.0wt%
スチレン−アクリル酸共重合体 ・アンモニウム塩
（分散剤、分子量10,000）                                      2.0wt%
グリセリン                                                      19wt%
サーフィノール４６５
（ノニオン系界面活性剤、Air Product and Chemicals, Inc製）  1.0wt%
トリエタノールアミン                                          1.0wt%
1,2−ヘキサンジオール                                          5.0wt%
イオン交換水                                                    残量
【０１１３】
マゼンタ顔料インク
Ｃ．Ｉ．ピグメントレッド １２２ （色材）                      3.0wt%
スチレン−アクリル酸共重合体 ・アンモニウム塩
（分散剤、分子量10,000）                                    2.0wt%
グリセリン                                                    17wt%
サーフィノール４６５
（ノニオン系界面活性剤、Air Product and Chemicals, Inc製）  1.0wt%
トリエタノールアミン                                          1.0wt%
1,2−ヘキサンジオール                                          5.0wt%
イオン交換水                                                    残量
【０１１４】
イェロー顔料インク
Ｃ．Ｉ．ピグメントイエロー ７４ （色材）                    3.5wt%
スチレン−アクリル酸共重合体 ・アンモニウム塩
（分散剤、分子量10,000）                                    2.0wt%
グリセリン                                                    8.0wt%
サーフィノール４６５
（ノニオン系界面活性剤、Air Product and Chemicals, Inc製）  1.0wt%
トリエタノールアミン                                          1.0wt%
1,2−ヘキサンジオール                                        5.0wt%
イオン交換水                                                  残量
【０１１５】
インク組成を上記組成に変更し、実施例1と同様な方法で記録媒体１〜３に印刷を行い、同様な評価を実施した。
【０１１６】
比較例３における水溶性有機溶媒を表７に示す。
【０１１７】
【表７】
2010285623.tif 000008
【０１１８】
評価試験下記の表８に記載の通りの組み合わせによって例とした。下記の評価の対象とした印刷物は、セイコーエプソン株式会社製インクジェットプリンタ ＥＭ−９３０Ｃ を使用し、上記例のインク組成物を用いて常温・常圧下にて、記録媒体に普通紙を用いて印刷する事によって得る事が出来た。この場合の印刷モードは普通紙、推奨設定（きれい）モードであった。そして印刷後、その印刷物を自然乾燥してから、それぞれ単独のインク組成物からなる単色のみが印字される領域が、他色の印字領域と接触する色境界について、目視により以下の評価を実施した。
【０１１９】
記録媒体
記録媒体としては、以下の3種の普通紙を用いた。
【０１２０】
普通紙１
Xerox P（ゼロックス(株)製）
普通紙２
Xerox 4024（ゼロックス(株)製）
普通紙３
上質普通紙（セイコーエプソン(株)製 型番KA4250NP）
【０１２１】
評価項目１：印刷後の色滲み評価
印刷物について、印刷直後の滲みを、目視によって以下の基準により評価した。
Ａ：  滲みの無い、良好な画像が得られた。
Ｂ：  滲みが僅かに生じた。
Ｃ：  ヒゲ状の滲みが発生していた。
【０１２２】
評価項目２：印刷後のカラーブリード評価
印刷物について、色境界での不均一な色の混じりを、目視によって以下の基準により評価した。
Ａ：  色混じりの無い、良好な画像が得られた。
Ｂ：  色混じりが僅かに生じた。
Ｃ：  色混じりの発生が認められた。
【０１２３】
評価項目３：印刷後のフェザリング評価
印刷物について、ヒゲ状の滲み出しの有無を目視によって以下の基準により評価した。
Ａ：  ヒゲ状の滲み出し無い、良好な画像が得られた。
Ｂ：  ヒゲ状の滲み出しが僅かに生じた。
Ｃ：  ヒゲ状の滲み出しの発生が認められた。
【０１２４】
【表８】
2010285623.tif 000009
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
少なくともイェロー、シアン、マゼンタおよびブラックインク組成物からなる水性インク組成物セットであって、上記インク組成物が各々少なくとも色材、水溶性有機溶媒、界面活性剤、および水を含んでなり、
上記水溶性有機溶媒としてトリエチレングリコールモノブチルエーテル、１，２−ヘキサンジオール、２−ピロリドンから選ばれる１種以上を含み且つ、
上記水溶性有機溶媒の含有量が、ブラックインク組成物、シアンインク組成物、マゼンタインク組成物、イェローインク組成物の順（ブラックインク＞シアンインク＞マゼンタインク＞イェローインクの順）で多く含まれ、
各インク組成物の水溶性有機溶媒量が25±5重量％の範囲であることを特徴とする、水性インク組成物セット。
【請求項２】
前記色材が顔料である、請求項１に記載の水性インク組成物セット。
【請求項３】
前記顔料粒子の平均粒子径が50〜500nmの範囲である、請求項２に記載の水性インク組成物セット。
【請求項４】
前記水性インク組成物が表面張力25〜45 mN/mの範囲にある、請求項１〜３のいずれか一項に記載の水性インク組成物セット。
【請求項５】
インク組成物の液滴を吐出し記録媒体に付着させて印字を行うインクジェット記録方法であって、請求項１〜４の何れか一項に記載の水性インク組成物セットを用いる、インクジェット記録方法。
【請求項６】
前記記録媒体が普通紙であることを特徴とする、請求項５に記載のインクジェット記録方法。
【手続補正２】
【補正対象書類名】明細書
【補正対象項目名】００９１
【補正方法】変更
【補正の内容】
【００９１】
（参考例３）
ブラック顔料インク組成物
カーボンブラック MA-7 （色材、三菱化学社製）          4.0重量（以下wtと
略す）%
スチレン−アクリル酸共重合体 ・アンモニウム塩
（分散剤、分子量10,000）                              3.0wt%
グリセリン                                              20wt%
サーフィノール４６５
（ノニオン系界面活性剤、Air Product and Chemicals, Inc製）  0.5wt%
2−ピロリドン                                          2.0wt%
トリエタノールアミン                                    1.0wt%
1,2−ヘキサンジオール                                  5.0wt%
イオン交換水                                            残量
【手続補正３】
【補正対象書類名】明細書
【補正対象項目名】００９６
【補正方法】変更
【補正の内容】
【００９６】
参考例３における水溶性有機溶媒を表４に示す。